(57)【要約】【課題】遮蔽材が所望の昇降高さに位置したときに遮蔽材の昇降を規制することができ、この昇降高さ位置を調整することができる昇降高さ決定装置において、遮蔽材を昇降させるために回転駆動する回転軸に発生する曲げによりその作動に支障を来たすことがないようにする。【解決手段】巻取ドラム１６を回転駆動する回転軸１４と同軸に設けられ回転軸１４と一体回転可能な回転筒３０と、回転筒３０内に同軸に配設され、回転軸１４を係合することなく相対回転自在に軸方向に挿通させる駆動筒３２と、回転筒３０と駆動筒３２との間に配設され、回転筒３０又は駆動筒３２の回転によりこれらの軸方向に移動可能なスライダー３４と、を備え、回転軸１４を回転させることなくヘッドボックスの外部から駆動筒３２が回転操作可能となっている。【選択図】図５
2010261194.tif 000002
【特許請求の範囲】
【請求項１】
ヘッドボックス（１２）内に配設され、遮蔽材（２０）を昇降させるために昇降コード（１８）を巻取り及び巻解く巻取ドラム（１６）の回転を、遮蔽材（２０）が所望の昇降高さに位置したときに規制することが可能なブラインドの昇降高さ決定装置において、
巻取ドラム（１６）を回転駆動する回転軸（１４）と同軸に設けられ、回転軸と一体回転可能な回転筒（３０）と、
回転筒内で同軸に配設され、回転軸を係合することなく相対回転自在に軸方向に挿通させる駆動筒（３２）と、
回転筒と駆動筒との間に配設され、回転筒又は駆動筒の回転によりこれらの軸方向に移動可能なスライダー（３４）と、を備え、
回転軸を回転させることなくヘッドボックスの外部から駆動筒（３２）が回転操作可能であることを特徴とするブラインドの昇降高さ決定装置。
【請求項２】
駆動筒（３２）の一端部には駆動筒（３２）と一体に回転するウォームギア（３２ｂ、４０）が設けられており、ウォームギア（３２ｂ、４０）はヘッドボックス（１２）の一部に形成された開口部から操作可能であることを特徴とする請求項１記載のブラインドの昇降高さ決定装置。
【請求項３】
駆動筒（３２）の外周には雄ネジ（３２ａ）が形成されており、該雄ネジ（３２ａ）はスライダー（３４）の内周に形成される雌ネジ（３４ｂ）と螺合しており、スライダー（３４）の外周には被案内部（３４ａ）が形成されており、該被案内部（３４ａ）は回転筒（３０）の内周に形成される案内部（３０ｂ）に対して相対回転不能に且つ軸方向には移動可能に係合することを特徴とする請求項１又は２記載のブラインドの昇降高さ決定装置。
【請求項４】
回転筒（３０）の内周には雌ネジが形成されており、該雌ネジはスライダー（３４）の外周に形成される雄ネジと螺合しており、スライダー（３４）の内周には被案内部が形成されており、該被案内部は駆動筒（３２）の外周に形成される案内部に対して相対回転不能に且つ軸方向には移動可能に係合することを特徴とする請求項１又は２記載のブラインドの昇降高さ決定装置。
【発明の詳細な説明】
【技術分野】
【０００１】
本発明は、遮蔽材が所望の昇降高さに位置したときに遮蔽材の昇降を規制することができ、この昇降高さ位置を調整することができるブラインドの昇降高さ位置決定装置に関する。
【背景技術】
【０００２】
従来、この種のブラインドの昇降高さ位置決定装置としては、特許文献１に記載されたものが知られている。これによれば、停止手段が、遮蔽材であるすだれのコードを巻上げる巻上げドラムを具備する出力軸または軸と一体的に連結されたねじ部材と、該ねじ部材に螺合され、手動により作動可能な制止手段によりケーシング内で回転しないようにされた筒状のケージ内で回転しないようにされた移動ナットとからなっている。すだれを昇降するために出力軸が回転すると、それに応じて移動ナットがゲージ内を移動して、移動ナットがケージと一体的なストッパに当接することによりすだれが底部停止位置に停止され、電気モータの制止状態が検出される。また、制止手段によりケージの制止状態を解いてケージを駆動し回転することにより底部停止点が調節されるため、すだれの巻下ろし位置を調節することができようになっている。
【先行技術文献】
【特許文献】
【０００３】
【特許文献１】特開平９−２５７７６号公報
【発明の概要】
【発明が解決しようとする課題】
【０００４】
ところで、一般的に、遮蔽材を昇降するために回転する回転軸である出力軸または軸は長尺軸であり、規格上所定の曲がりは許容されて設定されている。そのため、実際に出力軸が回転しているときには出力軸に作用する遮蔽材の荷重に応じて、縄跳びのように曲がりながら回転している場合もある。このような出力軸の曲げが発生した場合、出力軸と一体的に連結されたねじ部材も若干傾いて回転し、ねじ部材に螺合する移動ナットがケージに対して傾くために、移動ナットの移動に支障を来たす可能性があるという問題がある。
【０００５】
本発明はかかる課題に鑑みなされたもので、回転軸の曲げが発生した場合でも、動作に支障を受ける可能性が少ないブラインドの昇降高さ決定装置を提供することをその目的とする。
【課題を解決するための手段】
【０００６】
前述した目的を達成するために、請求項１記載の発明は、ヘッドボックス内に配設され、遮蔽材を昇降させるために昇降コードを巻取り及び巻解く巻取ドラムの回転を、遮蔽材が所望の昇降高さに位置したときに規制することが可能なブラインドの昇降高さ決定装置において、
巻取ドラムを回転駆動する回転軸と同軸に設けられ、回転軸と一体回転可能な回転筒と、
回転筒内で同軸に配設され、回転軸を係合することなく相対回転自在に軸方向に挿通させる駆動筒と、
回転筒と駆動筒との間に配設され、回転筒又は駆動筒の回転によりこれらの軸方向に移動可能なスライダーと、を備え、
回転軸を回転させることなくヘッドボックスの外部から駆動筒が回転操作可能であることを特徴とする。
【０００７】
請求項２記載の発明は、請求項１記載のブラインドの昇降高さ決定装置において、駆動筒の一端部には駆動筒と一体に回転するウォームギアが設けられており、ウォームギアはヘッドボックスの一部に形成された開口部から操作可能であることを特徴とする。
【０００８】
請求項３記載の発明は、請求項１又は２記載のブラインドの昇降高さ決定装置において、駆動筒の外周には雄ネジが形成されており、該雄ネジはスライダーの内周に形成される雌ネジと螺合しており、スライダーの外周には被案内部が形成されており、該被案内部は回転筒の内周に形成される案内部に対して相対回転不能に且つ軸方向には移動可能に係合することを特徴とする。
【０００９】
請求項４記載の発明は、請求項１又は２記載のブラインドの昇降高さ決定装置において、回転筒の内周には雌ネジが形成されており、該雌ネジはスライダーの外周に形成される雄ネジと螺合しており、スライダーの内周には被案内部が形成されており、該被案内部は駆動筒の外周に形成される案内部に対して相対回転不能に且つ軸方向には移動可能に係合することを特徴とする。
【発明の効果】
【００１０】
本発明によれば、回転軸が駆動筒に係合することなく相対回転自在に挿通しているために、回転軸の回転駆動の際に発生する回転軸の曲げの影響を駆動筒が受けないため、駆動筒が傾いたりすることがなく、スライダーの移動に支障をきたすことを防ぐことができる。
【００１１】
また、回転軸を回転させることなくヘッドボックスの外部から駆動筒を回転操作することで、スライダーの位置を調整することができる。
【００１２】
また、請求項２記載の発明によれば、ヘッドボックスに形成した開口部からウォームギアを操作し、駆動筒に対するスライダーの位置を調整することができるため、遮蔽材の昇降位置を調整する作業を容易に行うことができる。
【図面の簡単な説明】
【００１３】
【図１】本発明に係るブラインドの昇降高さ決定装置が適用されるブラインドの正面図である。
【図２】本発明の実施形態に係る昇降高さ決定装置の平面図である。
【図３】ブラインドの昇降高さ決定装置の主要部の分解斜視図である。
【図４】図２のａ−ａ断面図である。
【図５】ブラインドが昇降途中である場合の昇降高さ決定装置の状態を表す半断面図である。
【図６】ブラインドが設定位置に停止している場合の昇降高さ決定装置の状態を表す半断面図である。
【図７】本発明の他の実施形態に係るブラインドの昇降高さ決定装置の半断面図である。
【発明を実施するための形態】
【００１４】
以下、図面を用いて本発明の実施の形態を説明する。
図１に示すように、本発明に係るブラインドの昇降高さ決定装置が適用されるブラインドは、ヘッドボックスから垂下される遮蔽材を昇降可能にする任意のブラインドに適用することができ、図示したものは、プリーツスクリーンに適用した例を表している。しかしながら、これに限るものではなく、ラダーコードを介してヘッドボックスから垂下される多数のスラットを遮蔽材とする横型ブラインドといった任意の種類のブラインドに適用することができる。
【００１５】
ブラインド１０は、壁面または天井面にブラケット１１を介して取り付けられるヘッドボックス１２を有しており、ヘッドボックス１２内には、回転軸１４が回転可能に配設されている。尚、回転軸１４は長尺物からなるが、必ずしも１つの部材からでなく、互いに連結された複数の部材から構成することも可能である。回転軸１４の外周面は六角形といった多角形となっている。
【００１６】
回転軸１４は、同じくヘッドボックス１２内に配設されている巻取ドラム１６に対して相対回転不能に挿通されており、巻取ドラム１６には、昇降コード１８の上端が巻取り及び巻解き可能に連結されている。昇降コード１８の下端は、上端がヘッドボックス１２に連結されてヘッドボックス１２から垂下している遮蔽材としての襞つきのスクリーン２０の各襞を挿通し、スクリーン２０の最下端に配置されるボトムレール２２に連結される。回転軸１４は、ヘッドボックス１２の一端に設けられるコントロールユニット２４から垂下する操作コード２６によって操作され、ストッパ２７によって回転駆動が可能な状態と回転が規制される状態とに切り換えられる。但し、回転軸１４の回転駆動は、電動式とすることもでき、電動モータの出力軸に回転軸１４を連結することも可能である。
【００１７】
本発明による昇降高さ決定装置２８は、ヘッドボックス１２内に配設されて、スクリーン２０が所望の昇降高さに位置したときに回転軸１４の回転駆動を規制することにより巻取ドラム１６の回転駆動を規制する。
【００１８】
具体的には昇降高さ決定装置２８は、図２及び図３に示すように、回転軸１４と同軸に設けられる回転筒３０、回転筒３０内に同軸に配設される駆動筒３２、回転筒３０と駆動筒３２との間に配設されるスライダー３４、ウォーム４０、及びこれらを収納してヘッドボックス１２内に固定されるケース３８を備えている。
【００１９】
回転筒３０はその一端３０ａがケース３８の一側端部から突出し、ケース３８に回転自在に且つ軸方向に移動不能に支持されている。図５に示すように、回転筒３０内には、その軸方向に回転軸１４が挿通しており、回転筒３０の一端３０ａが回転軸１４と係合することで、回転筒３０は回転軸１４と一体化し、回転軸１４と一体回転するようになっている。回転筒３０の内周面には、周方向に離間した２箇所の位置において、複数の案内部３０ｂが、軸方向ほぼ全長にわたってそれぞれ突設されている。
【００２０】
駆動筒３２は回転筒３０内に同軸に配設されており、駆動筒３２内には回転軸１４が係合することなく相対回転自在に軸方向に挿通している。駆動筒３２の外周には雄ネジ３２ａが形成されており、更に外周の一端部にはウォームホイール３２ｂが形成されている。また、ウォームホイール３２ｂの側面からは、雄ネジ３２ａが形成されている方向に向かって軸方向に突部３２ｃが形成されている。駆動筒３２は、そのウォームホイール３２ｂ側の一端部がケース３８の他側端部に回転自在に支持され、他端部が回転筒３０に回転自在に支持されて、ケース３８内で軸方向に移動不能に軸支されている。
【００２１】
図４に示すように、ウォームホイール３２ｂにはウォーム４０が噛合っており、これらでウォームギアを構成する。ウォーム４０の下端部４０ａはケース３８外に突出している。また、図３に示すように、ウォーム４０の下端部４０ａには六角レンチが挿入可能なレンチ孔４０ｂが形成されており、ヘッドボックス１２の外部からレンチ孔４０ｂに六角レンチを挿入してウォーム４０を操作可能となっている。
【００２２】
回転筒３０と駆動筒３２との間にはスライダー３４が配設される。スライダー３４は、その外周面の周方向に離間した２箇所の位置において、軸方向に貫通する被案内部３４ａが凹状に形成されており、回転筒３０の案内部３０ｂとそれぞれ係合する。これにより、スライダー３４は回転筒３０に対して相対回転不能であるが、案内部３０ｂに案内されて軸方向には移動可能に係合される。また、スライダー３４の内周面には雌ネジ３４ｂが形成されており、駆動筒３２の雄ネジ３２ａと螺合している。これにより、スライダー３４は、回転筒３０又は駆動筒３２の回転駆動により、回転筒３０及び駆動筒３２の軸方向に移動するようになっている。さらに、スライダー３４のウォームホイール３２ｂと対向する面には、軸方向に係合凸部３４ｃが形成されており、スライダー３４が駆動筒３２をウォームホイール３２ｂ側端部まで移動した際に係合凸部３４ｃと突部３２ｃが係合して、スライダー３４のそれ以上の移動が規制される。
【００２３】
次に、本実施形態による昇降高さ決定装置２８の作用について説明する。
スクリーン２０を昇降させる場合、操作コード２６を操作し、回転軸１４を回転駆動させる。巻取ドラム１６が回転軸１４と一体に回転するため、昇降コード１８が巻取ドラム１６に巻取り又は巻解かれてスクリーン２０が昇降する。このとき、昇降高さ決定装置２８において、図５に示すようにスライダー３４が回転筒３０及び駆動筒３２の軸方向途中位置に位置していたとすると、回転筒３０が回転軸１４と一体に回転し、スライダー３４も回転筒３０と一体に回転する一方で、駆動筒３２はウォームギアのセルフロック効果により回転しないため、回転筒３０は駆動筒３２に対して相対回転し、スライダー３４は、駆動筒３２の雄ネジ３２ａに案内されて、回転筒３０及び駆動筒３２の軸方向に移動する。
【００２４】
スクリーン２０が下降する場合、図６に示すように、スライダー３４が突部３２ｃに接近する方向へと移動し、係合凸部３４ｃが突部３２ｃに係合すると、スライダー３４のそれ以上の移動が規制されるため、回転筒３０の回転が規制される。これにより、回転軸１４及び巻取ドラム１６の回転が規制されてスクリーン２０の下降が規制される。このようにスクリーン２０の下降が規制された位置が、スクリーン２０の下限位置となり、スクリーン２０はそれ以上下降することができなくなる。
【００２５】
この回転軸１４の回転の規制は、スライダー３４の係合凸部３４ｃがウォームホイール３２ｂの突部３２ｃに係合するだけで行われているので、操作コード２６を反対方向に操作し、回転軸１４を反対方向に回転駆動させると、回転筒３０が上記とは反対方向に回転するため、スライダー３４は、係合凸部３４ｃが突部３２ｃから離反する方向に移動し、スクリーン２０は上昇する。
【００２６】
回転軸１４が駆動筒３２に係合することなく相対回転自在に挿通しているために、回転軸１４の回転駆動の際に回転軸１４の曲げが発生したとしても、その影響を駆動筒３２が受けないため、駆動筒３２が傾くことを防ぐことができ、同様に回転筒３０もその影響を受けにくいため、スライダー３４の移動に支障をきたすことがない。
【００２７】
図５に示すように、スライダー３４が回転筒３０及び駆動筒３２の軸方向途中位置にある状態で、図示していない六角レンチをウォーム４０のレンチ孔４０ｂに挿入し、ウォーム４０を回転させると、ウォーム４０と噛み合っているウォームホイール３２ｂに回転が伝達されて駆動筒３２が回転する。これにより、駆動筒３２の回転力がスライダー３４にも伝達されるが、スクリーン２０が停止しているとき回転軸１４は、ストッパ２７によって、または遮蔽材からの荷重によって回転駆動が規制されており、したがって、回転筒３０の回転も規制されているため、駆動筒３２が回転筒３０に対して相対回転し、スライダー３４は、その被案内部３４ａが回転筒３０の案内部３０ｂに案内されて駆動筒３２の軸方向に移動する。このようにして、スライダー３４を突部３２ｃに接近させるように移動させると、スクリーン２０の下限位置が上昇し、逆に、スライダー３４を突部３２ｃと反対側へと移動させると、スクリーン２０の下限位置が下降する。
【００２８】
よって、ウォーム４０を回転させることで、スクリーン２０の下限位置を所望の昇降高さに設定することができる。
【００２９】
具体的には、下限位置を現在の設定位置よりも低くする場合には、スライダー３４の係合凸部３４ｃが駆動筒３２の突部３２ｃに係合している状態から、ウォーム４０を回転させてスライダー３４をさらに突部３２ｃ方向へ移動させようとすると、スライダー３４はそれ以上の移動が規制されるため、スライダー３４を介して駆動筒３２と回転筒３０とが一体回転し、回転軸１４が回転して巻取ドラム１６から昇降コード１４が巻解かれていき、スクリーン２０が下降する。スクリーン２０が下限位置として新たに設定したい位置まで降下したら、ウォーム４０の回転操作を止めると、下限位置の設定が完了する。
【００３０】
下限位置を現在の設定位置よりも高くする場合には、操作コード１８を操作してスクリーン２０が下限位置として新たに設定したい位置まで上昇したら、その位置でストッパ２７を作動させてスクリーンの上昇を停止させる。ここでウォーム４０を回転させてスライダー３４の係合凸部３４ｃが駆動筒３２の突部３２ｃに係合する方向に移動させ、両者が係合したらウォーム４０の回転操作を止めると、下限位置の設定が完了する。
【００３１】
こうして、ウォーム４０を回転させることで、スクリーン２０の昇降高さの調整作業を容易に行うことができる。
【００３２】
なお、以上の実施形態においては、昇降高さ決定装置２８において、スクリーン２０の下限位置を決定したが、これに限定されるものではなく、スクリーン２０の上限位置を決定することでもよい。
【００３３】
また、以上の実施形態において、スクリーン２０が設定位置に近づくに従ってスライダー３４がウォームホイール３２ｂのある駆動筒３２の一端部側方向へと移動するように設定したが、これに限定されるものではなく、スライダー３４がウォームホイール３２ｂと反対側の回転筒３０の一端３０ａの方向へ移動するようにしてもよい。スライダー３４の移動が規制されるときに、回転筒３０の回転軸１４への支持点に近い部分でスライダー３４が規制されることで、回転筒３０に発生するねじりを低減させることができる。
【００３４】
また、ウォーム４０の操作を行うために、ヘッドボックス１２に開口部を形成し、その開口から操作するようにすることもできる。さらに、ウォーム４０に六角レンチを挿入可能なレンチ孔４０ｂを形成したが、これに限定されるものではなく、また、駆動筒３２を回転駆動させるための機構はウォームギアに限定されず、また、六角レンチ等の工具を使用せずに、直接、手で操作できるようなダイヤルをウォーム４０に設けてもよい。
【００３５】
また、以上の実施形態においては、駆動筒３２に雄ネジ３２ａを、回転筒３０に案内部３０ｂを、スライダー３４の内周に駆動筒３２の雄ネジ３２ａと螺合する雌ネジ３４ｂを、外周に回転筒３０の案内部３０ｂと係合する被案内部３４ａをそれぞれ形成したが、これに限定されるものではなく、図７に示すように、回転筒の内周に雌ネジを、駆動筒の外周に案内部を、スライダーの外周に雄ネジを、また内周に被案内部をそれぞれ形成し、回転筒の雌ネジとスライダーの雄ネジを螺合させるとともに、駆動筒の案内部にスライダーの被案内部を係合して、スライダーが駆動筒に対して相対回転不能であるが案内部に案内されて軸方向には移動可能とするようにしてもよい。
【００３６】
また、案内部及び被案内部は、スプライン、キー、多角形同士の嵌合等の任意の手段によって構成することができる。
【符号の説明】
【００３７】
１２  ヘッドボックス
１４  回転軸
１６  巻取ドラム
１８  昇降コード
２０  プリーツスクリーン（遮蔽材）
２８  昇降高さ決定装置
３０  回転筒
３０ｂ  案内部
３２  駆動筒
３２ａ  雄ネジ
３２ｂ  ウォームホイール（ウォームギア）
３４  スライダー
３４ａ  被案内部
３４ｂ  雌ネジ
４０  ウォーム（ウォームギア）
【図１】
2010261194.tif 000003
【図２】
2010261194.tif 000004
【図３】
2010261194.tif 000005
【図４】
2010261194.tif 000006
【図５】
2010261194.tif 000007
【図６】
2010261194.tif 000008
【図７】
2010261194.tif 000009